(57)【要約】【課題】車椅子使用者単独でも気軽にプレーできるようにする。【解決手段】車椅子が容易にアドレス面３に対して昇降可能なスロープ４を備えた。【選択図】図１
2004121325.tif 000002
【特許請求の範囲】
【請求項１】
パークゴルフ用スタート台の設置面からアドレス面における周囲縁のいずれか一辺、または、複数辺に、少なくとも車椅子で昇降可能なスロープを連設したパークゴルフ用スタート台。
【請求項２】
スロープに滑り止め構造を備えている請求項１に記載のパークゴルフ用スタート台。
【請求項３】
滑り止め構造がゴムチップをマット状に形成したゴムチップマットを敷設して構成されたものである請求項２に記載のパークゴルフ用スタート台。
【発明の詳細な説明】
【０００１】
【発明の属する技術分野】
本発明は、パークゴルフ用スタート台に関し、詳しくは、スタート台設置面より高い位置にあるアドレス面に対して車椅子で容易に昇降できるパークゴルフ用スタート台に関する。
【０００２】
【従来の技術】
パークゴルフは、老若男女問わず、子供から大人まで誰もが気軽に楽しめるように考案された比較的新しいコミュニティースポーツである。
ルールは通常のゴルフと略同様であり、基本的には、ティーグランドからボールを打ってホールに入れるまでの打数を競う。
ところで、ティーグランドは、プレーのスタート地点であってプレーヤーがアドレスしたり、ダフったりして芝の傷みが激しいために、また、各コースのスタート地点を示すためにティーグランドにパークゴルフ用スタート台を敷設していることが多い。
そして、現在使用されているパークゴルフ用スタート台は、地面より高い位置にアドレス面があり、このアドレス面に競技者が上ってアドレスして第１打を打つものである。（例えば、特許文献１，特許文献２，特許文献３参照）
【０００３】
【特許文献１】
特開２００１−１７５９５号公報（図１）
【特許文献２】
特開平１１−１２８４３６号公報（図１）
【特許文献３】
特開平１０−２３４９１３号公報（図２）
【０００４】
【発明が解決しようとする課題】
しかしながら、前記各特許文献に記載されいるような現在のパークゴルフ用スタート台では、アドレス面が設置面より高い位置にあって段差が生じるために、車椅子使用者がプレーする場合、アドレス面に対して昇降するときにおいて介添え者が必要であり、車椅子使用者単独でのプレーは事実上不可能である。
つまり、現在のパークゴルフ用スタート台は、車椅子使用者への対策が何らされておらず、誰もが気軽に楽しめるというパークゴルフの本来の目的を達成できるものとはいえない。
【０００５】
そこで本発明は、車椅子使用者単独でも気軽にプレーできるようにすることを課題とし、この課題を解決したパークゴルフ用スタート台の提供を目的とする。
【０００６】
【課題を解決するための手段】
上記した目的を達成するために本発明は下記の技術的手段を採用した。
その技術的手段は、図１及び図２に示すように、パークゴルフ用スタート台１の設置面からアドレス面３における周囲縁のいずれか一辺、または、複数辺に、少なくとも車椅子で昇降可能なスロープ４を連設したパークゴルフ用スタート台１にしたことである。（請求項１）
【０００７】
【発明の実施の形態】
本発明におけるパークゴルフ用スタート台１（以下「スタート台」と略称する。）は、その本体２が繊維強化樹脂材、合成樹脂材、木材、金属材等により構成されるが、強度のの確保と軽量化のためには、繊維強化樹脂材（ＦＲＰ）を用いることが好適である。
また、スタート台１におけるアドレス面３とスロープ４は、凹凸なく連続するように構成することが好ましい。
【０００８】
スタート台１を屋外で使用する場合には、雨や朝露等の水分によってスロープ４が滑りやすくなるため、スロープ４に滑り止め構造を備えることが望ましい。（請求項２）
【０００９】
本発明における滑り止め構造は、少なくとも、車椅子の車輪の滑りやパークゴルフで多く用いられるゴム底の運動靴に対して好適な滑り止め作用を有する構造のものが望ましい。
このような滑り止め構造としては、例えば、ゴム同士の接触抵抗を利用する構造が挙げられ、具体的には、ゴムマットを敷設して構成した構造である。
さらに好適には、多数のゴムチップを一体固化してマット状に形成したゴムチップマット７を敷設した構成（請求項３）であり、このようなゴムチップマット７によれば、ゴムチップ同士が重なり合うことによって、表面には多数の細かい凹凸が形成され、この凹凸が滑り止めに貢献する。
また、ゴムチップ同士が重なり合うことによって、内部には空間が形成され、この空間が水分を設置面に排水する排水空間となって水分を迅速に排水することができるので、スロープ４の滑り止め機能がさらに向上する。
【００１０】
ここで使用されるゴムチップは、未加硫又は加硫済みゴム材、あるいは、未加硫の発泡ゴム材、さらには、これらを混合したゴム材等のいずれも包含する。
例えば、未加硫のゴム材を用いたゴムチップでは、熱プレスによってゴム材相互が一体固化される。
加硫済みゴム材を用いたゴムチップの場合、チップ状のゴム材にウレタン系接着剤を混合し、これを熱プレスすることで一体固化される。
又、未加硫の発泡ゴム材を混合しているものであれば、熱プレス時に発泡ゴム材が発泡して気泡となり、この気泡によって表面には細かい凹凸が形成され、この凹凸も滑り止めに貢献する。
【００１１】
上記ゴムチップは、その一部、又は、全部に廃棄ゴム材を用いることができる。
つまり、本来廃棄物となる廃棄ゴム材を使用することにより、リサイクルに貢献する上に、原料コストの削減が可能である。
さらに、ゴムチップに、合成樹脂廃材、繊維強化樹脂廃材、発泡石廃材、木廃材から選ばれた一つ、又は複数をチップ状に裁断したものを含有したものでもよい。
したがって、本来廃棄物となる各廃材を使用することにより、リサイクルに貢献する上に、原料コストの削減が可能であるし、これらの廃材が増量材となる。
【００１２】
本発明によれば、設置面よりも高い位置にあるアドレス面３の一辺、または、複数辺に連設されたスロープ４によって、車椅子使用者単独で車椅子を操作してアドレス面３に対して容易に昇降することができる。
また、請求項２および請求項３の発明によれば、スロープ４に備えられた滑り止め構造（ゴムチップマット７）によって、車椅子のスロープ４上での滑りを防止して、アドレス面３に対する昇降の安全性を向上させることができる。
したがって、本発明のスタート台１は、車椅子使用者が介添え者を要することなく、気軽にパークゴルフをプレーすることができ、誰もがプレーできるコミュニティースポーツというパークゴルフ本来の目的を達成することができる。
【００１３】
【実施例】
以下、本発明の実施例を図面に基づいて説明する。
図１および図２は、本発明に係るパークゴルフ用のスタート台の一例を示す。
本実施例のスタート台１は、ＦＲＰ材製の本体２の上面に正方形状のアドレス面３を備え、そのアドレス面３の一辺にスロープ４を連設してなる持ち運び可能なものである。
【００１４】
本体２は、ＦＲＰ製であり、アドレス面３とスロープ４および当該スロープ４が連設された一辺を除く三辺にアドレス面を支持する支持壁５を連設してある。スロープ４の両側に連続する二辺の支持壁５は、スロープ４の両側に連続して形成してあり、これによって、支持壁５がアドレス面３とスロープ４を支持するようにしてある。
また、支持壁５の下端全域とスロープ４の始端に亘って本体２を囲むように、支持壁５を補強する補強板５１を周設してある。
【００１５】
符号５２は、スロープ４の始端に位置する補強板５１上に設置される勾配パネルである。
勾配パネル５２は、スタート台１を設置したときにわずかながらも生じる補強板５１の段差を無くして、車椅子が障害なくスムースにスロープ４を昇れるようにするためのものである。
なお、前記勾配パネル５２は、全体的な強度は確保されているものの、端部が割れ易い本実施例のＦＲＰ材製の本体２のように、前記した補強板５１を要するものに採用されるものであり、例えばスタート台の本体が木材製や金属材製のものであれば、例示した補強板またはこれに相当する部材を必要しないので、例示した勾配パネル５２は必要ない。
【００１６】
アドレス面３には人工芝マット６が敷設され、スロープ４には滑り止め構造であるゴムチップマット７が敷設されている。
アドレス面３とスロープ４には、前記各マット６，７が嵌合する凹部３１，４１を形成してある。
凹部３１，４１は、前記各マット６，７の厚みと同等の深さのものであり、当該凹部３１，４１に前記各マット６，７を嵌合して敷設した状態において、アドレス面３からスロープ４に亘って段差無く連続するようにしている。
【００１７】
本実施例におけるスロープ４は、斜面が緩やかな円弧面であり、その円弧面は、中途部分をアドレス面３の高さよりも高くし、この中途部分からアドレス面３の始端に向かってやや下るようにしてある。
このようなスロープ４によって、車椅子でアドレス面３に昇るときに、車椅子がスロープ４の中途部分からアドレス面３に向かって下るので、その下る力が車椅子の移動に作用して車椅子使用者の操作力が軽減される。
【００１８】
ゴムチップマット７は、発泡性の未加硫ゴム材、未加硫ゴム材、廃棄ゴム材等からからなる多数のゴムチップを熱プレスにより一体固化したものであり、表面には各ゴムチップが重なり合うことによって発生する細かい凹凸（図示せず）と、発泡性の未加硫ゴム材が発砲することによって発生する気泡によるさらに細かい凹凸（図示せず）とが形成されている。
また、ゴムチップマット７の内部には、各ゴムチップが重なり合うことによって生じる空間を利用した排水空間（図示せず）が形成されている。
符号８は、アドレス面３の水分を排水する排水溝であり、当該排水溝８がアドレス面３の排水を迅速に行って、車椅子での昇降およびアドレス時の滑りを抑制する。
【００１９】
図３ないし図６は、本発明におけるスタート台１の他の実施例を示し、これらのスタート台１は、複数のスロープ４を備えたものである。
これらのスタート台１は、コースの方向に合わせて、複数のスロープ４の内のコースに入る方向に対面する一つを昇り用とし、ホール方向に対面する一つを降り用として使用することができる。（図３ないし図６）
また、アドレス面３で打ち終わった後に、車椅子の方向を変えることなく、そのまま車椅子を前進させて降りることができる。（図４ないし図６）
さらに、図６に示すスタート台１では、アドレス面３の四辺にスロープ４を設けたものであるので、方向を問わず使用することができる。
図３ないし図５において想像線で示すように、スロープ４の方向は任意である。
【００２０】
なお、本発明におけるスタート台の本体の材質は、実施例で例示したＦＲＰ材製に限定するものではなく、合成樹脂材製、木材製、金属製等のものでも良い。また、本発明におけるスタート台のスロープの形態は、実施例で例示した円弧面に限定するものではなく、フラット面としても良いものである。
【図面の簡単な説明】
【図１】本発明に係るスタート台の一例を示す斜視図。
【図２】図１の（２）−（２）線斜視図。
【図３】他の例のスタート台の平面図で模式的に現す。
【図４】同、平面図。
【図５】同、平面図。
【図６】同、平面図。
【符号の説明】
１：スタート台
３：アドレス面
４：スロープ
７：ゴムチップマット
【図１】
2004121325.tif 000003
【図２】
2004121325.tif 000004
【図３】
2004121325.tif 000005
【図４】
2004121325.tif 000006
【図５】
2004121325.tif 000007
【図６】
2004121325.tif 000008